(57)【要約】      （修正有）【課題】包装用容器と一体に保冷剤や備品等を収容する小収容空間を簡単に形成することができる包装用容器を提供する。【解決手段】折線を介して連続する複数の壁板３１・４１・５１の端部に折線を介して連続する第一接続壁板２１と、対向する他の端部に折線を介して連続する第二接続壁板６１とを設け、折線を折り曲げて角筒形状として、第一接続壁板２１の外側に第二接続壁板６１を重ねて固定し、両端の開口部Ｋには蓋板２３を設けてなる包装用容器１１であって、第一接続壁板２１の第二接続壁板６１と重なる重合領域７１に基部を有し、この基部から起立して容器内部に延在する仕切板８１を設けて、仕切板８１と、第二接続壁板６１と、壁板５１とで囲まれる小収容空間Ｓを形成する。【選択図】図２
0003229464.tif 000002
【実用新案登録請求の範囲】
【請求項１】
折線を介して連続する複数の壁板の一の端部に折線を介して連続する第一接続壁板と、対向する他の端部に折線を介して連続する第二接続壁板とを設け、折線を折り曲げて角筒形状として、前記第一接続壁板の外側に前記第二接続壁板を重ねて固定し、両端の開口部には蓋板を設けてなる包装用容器において、前記第一接続壁板の前記第二接続壁板と重なる重合領域に基部を有し、当該基部から起立して容器内部に延在する仕切板を設けて、前記仕切板と、前記第二接続壁板と、前記第二接続壁板と折線を介して連続する壁板と、で囲まれる小収容空間を形成することを特徴とする、包装用容器。
【請求項２】
前記仕切板は、前記重合領域の前記開口部側の端部を切り残して形成することを特徴とする、請求項１に記載する包装用容器。
【請求項３】
前記仕切板の前記開口部側の端部と前記開口部とが近接していることを特徴とする、請求項１又は請求項２に記載する包装用容器。
【請求項４】
前記仕切板は、前記第二接続壁板と折線を介して連続する壁板側に傾斜していることを特徴とする、請求項１から請求項３のいずれか一項に記載する包装用容器。
【請求項５】
前記基部に折線を有することを特徴とする、請求項１から請求項４のいずれか一項に記載する包装用容器。
【請求項６】
前記折線は、前記仕切板側に膨らむ形状であることを特徴とする、請求項５に記載する包装用容器。
【請求項７】
前記折線は、前記仕切板とは反対側に膨らむ形状であることを特徴とする、請求項５に記載する包装用容器。
【請求項８】
前記折線を折り曲げて角筒形状を平坦に折り畳んだ状態において、前記仕切板は、前記第二接続壁板と折線を介して連続する壁板と重なり、角筒形状に形成する際に、前記仕切板の自由端部が前記第二接続壁板と折線を介して連続する壁板の内面を滑動して前記基部から起立し容器内部に延在することを特徴とする、請求項１から請求項７のいずれか一項に記載する包装用容器。
【考案の詳細な説明】
【技術分野】
【０００１】  本考案は、包装用容器に関し、特に、容器内部に小収容空間を設けた包装用容器に関する。
【背景技術】
【０００２】  従来から、ケーキ等の生菓子の持ち運びに使用する包装用容器では、生菓子を収容する他、保冷剤やナフキン、ローソク等の備品を一緒に収容するための小収容空間を設けた容器が開発されており、例えば、小箱状の保冷体収容部を包装箱（外箱）の内部に配置するものが知られている（特許文献１参照）。
また、例えば、保冷剤等の備品を収納するための収納部を外箱と一体に設けた包装用紙箱が知られている。この包装用紙箱は、底壁と天井壁と前後左右の周壁からなる壁部を一連に備え、各壁部の境界となる折目を内側に折曲げて箱に組立て固定する包装用紙箱であって、上記壁部のいずれか又は相対する２つの壁部の端部に、フラップ状の収納壁を当該壁部の内側に重なり合うように折曲げ可能に連設し、この収納壁の自由端を箱の内面側に固定し、箱の組立てにより壁部内面との間に保冷剤その他の備品を収納する空間からなる収納部を形成している（特許文献２参照）。
【先行技術文献】
【特許文献】
【特許文献１】実用新案登録第３１４７６８６号公報
【特許文献２】実用新案登録第３１７９４２７号公報
【０００３】  しかしながら、特許文献１に記載する包装箱では、包装箱（外箱）と小箱状の保冷剤収容部をそれぞれ作成しなければならないためコストが高額となり、また、組み立てや設置の手間が煩雑である。また、特許文献２に記載する包装用紙箱では、包装用紙箱と備品を収納する収納部を一体に設けているものの、フラップを折り曲げて固定する手間が煩雑である。
【考案の概要】
【考案が解決しようとする課題】
【０００４】  本考案は、上記問題を解決すべくなされたものである。本考案の目的は、包装用容器と一体に、例えば、保冷剤や備品等を収容する小収容空間を簡単に形成するものである。
【課題を解決するための手段】
【０００５】  本考案の解決しようとする課題は以上の如くであり、次にこの課題を解決するための手段を説明する。【０００６】  第１の考案では、折線を介して連続する複数の壁板の一の端部に折線を介して連続する第一接続壁板と、対向する他の端部に折線を介して連続する第二接続壁板とを設け、折線を折り曲げて角筒形状として、前記第一接続壁板の外側に前記第二接続壁板を重ねて固定し、両端の開口部には蓋板を設けてなる包装用容器において、前記第一接続壁板の前記第二接続壁板と重なる重合領域に基部を有し、当該基部から起立して容器内部に延在する仕切板を設けて、前記仕切板と、前記第二接続壁板と、前記第二接続壁板と折線を介して連続する壁板と、で囲まれる小収容空間を形成することを特徴とする包装用容器である。【０００７】  第２の考案では、第１の考案であって、前記仕切板は、前記重合領域の前記開口部側の端部を切り残して形成することを特徴とする包装用容器である。【０００８】  第３の考案では、第１又は第２の考案であって、前記仕切板の前記開口部側の端部と前記開口部とが近接していることを特徴とする包装用容器である。【０００９】  第４の考案では、第１から第３のいずれかの考案であって、前記仕切板は、前記第二接続壁板と折線を介して連続する壁板側に傾斜していることを特徴とする包装用容器である。【００１０】  第５の考案では、第１から第４のいずれかの考案であって、前記基部に折線を有することを特徴とする包装用容器である。【００１１】  第６の考案では、第５の考案であって、前記折線は、前記仕切板側に膨らむ形状であることを特徴とする包装用容器である。【００１２】  第７の考案では、第５の考案であって、前記折線は、前記仕切板とは反対側に膨らむ形状であることを特徴とする包装用容器である。【００１３】  第８の考案では、第１から第７のいずれかの考案であって、前記折線を折り曲げて角筒形状を平坦に折り畳んだ状態において、前記仕切板は、前記第二接続壁板と折線を介して連続する壁板と重なり、角筒形状に形成する際に、前記仕切板の自由端部が前記第二接続壁板と折線を介して連続する壁板の内面を滑動して前記基部から起立し容器内部に延在することを特徴とする包装用容器である。
【考案の効果】
【００１４】  本考案の効果として、以下に示すような効果を奏する。【００１５】  第１の考案によれば、仕切板を基部から起立させるだけで、別部材を設けることなく、簡単に包装用容器内部に小収容空間を形成することができる。【００１６】  第２の考案によれば、第１の考案の効果に加え、仕切板は、重合領域の開口部側の端部を切り残して形成するため、重合領域を広くとることができ、第一接続壁板と第二接続壁板との固着領域を広くとることができる。【００１７】  第３の考案によれば、第１又は第２の考案の効果に加え、仕切板の前記開口部側の端部と前記開口部とが近接しているため、包装用容器を蓋板で閉塞すれば、小収容空間の開口部も閉塞され、例えば運搬による振動によって小収容空間に収容した備品等が開口部付近から飛び出すことを防止することができる。【００１８】  第４の考案によれば、第１から第３の考案の効果に加え、仕切板が第二接続壁板と折線を介して連続する壁板側に傾斜しているため、仕切板が小収容空間を形成する側とは逆側に倒れ込みにくく、小収容空間を強固に保持することができる。【００１９】  第５の考案によれば、第１から第４の考案の効果に加え、基部に折線を有するため、仕切板を起立させやすい。【００２０】  第６の考案によれば、第５の考案の効果に加え、折線が仕切板側に膨らむ形状であるため、仕切板が小収容空間を形成する側とは逆側に倒れ込みにくく、小収容空間を強固に保持することができる。また、仕切板の開口部側が小収容空間を形成する側とは逆側に反るため、開口部側から備品等を挿入しやすくなる。【００２１】  第７の考案によれば、第１から第７の考案の効果に加え、仕切板とは反対側に膨らむ形状であるため、仕切板が小収容空間を形成する側とは逆側に倒れ込みにくく、小収容空間を強固に保持することができる。【００２２】  第８の考案によれば、第１から第７の考案の効果に加え、平坦とした包装用容器を角筒形状に形成する際に、仕切板の自由端部が第二接続壁板と折線を介して連続する壁板の内面を滑動して基部から起立するため、仕切板を別作業で起立させる手間がなく、簡単に小収容空間を形成することができる。
【図面の簡単な説明】
【００２３】
【図１】本実施形態の包装用容器１１の展開形成体１２の平面図。
【図２】包装用容器１１の組み立て完成状態を示す斜視簡略図。
【図３】（ａ）包装用容器１１の作成途中を示す平面図。（ｂ）包装用容器１１の半完成状態を示す平面図。
【図４】包装用容器１１の貼着箇所を示す部分拡大平面図。
【図５】（ａ）（ｂ）組み立て途中における図２Ａ−Ａ線端面図。
【図６】（ａ）他の実施形態の仕切板１８１付近の平面図。（ｂ）他の実施形態の仕切板２８１付近の平面図。（ｃ）他の実施形態の仕切板３８１付近の平面図。
【図７】（ａ）他の実施形態の仕切板４８１付近の平面図。（ｂ）他の実施形態の仕切板５８１付近の平面図。
【考案を実施するための形態】
【００２４】  次に、本考案の実施形態である包装用容器１１について説明する。
【００２５】  図１は包装用容器１１の展開形成体１２の平面図であり、図２は、包装用容器１１の組み立て完成状態の斜視簡略図である。包装用容器１１は、図１に示す展開形成体１２を組み立てて形成されるものであり、デコレーションケーキを収容し、また、容器内の小収容空間Ｓには保冷剤やろうそく等の備品を収容して持ち帰り等に用いる包装用容器１１である。包装用容器１１は、板紙、段ボールなどの厚紙で形成されている。厚紙の他、樹脂素材を用いた板状部材等で形成してもよい。
【００２６】  包装用容器１１は、図１に示すように、第一接続壁板２１、壁板３１、壁板４１、壁板５１、第二接続壁板６１によって角筒形状に形成され、両端の開口部Ｋが蓋板２２・２３・３２・３３・４２・４３・５２・５３によって閉塞される包装用容器１１である。また、包装用容器１１の内部には保冷剤やろうそく、ナフキン等の備品を収容する小収容空間Ｓが設けられている。包装用容器１１は平坦に折り畳まれた半完成状態でケーキ店等に納品され、デコレーションケーキ等を収容する前に最終の組み立てが行われて完成状態の包装用容器１１とされる。
【００２７】  以下では、説明の容易のため、開口部Ｋが形成されている側を前後方向とする。また、上下方向は、包装用容器１１を組み立てて、第一接続壁板２１及び第二接続壁板６１を下にして載置した状態で、壁板４１側を上方とし、第一接続壁板２１及び第二接続壁板６１側を下方とする。
【００２８】  図１に示す展開形成体１２に従って包装用容器１１を構成する部分を説明する。図１は、包装用容器１１の内側となる面を紙面手前側として示している。また、破線は折線を示している。
まず、第一接続壁板２１及び第二接続壁板６１は、組み立て完成状態において、包装用容器１１の底部を構成する部分である。第一接続板２１の端部には包装用容器１１の側部を構成する壁板３１が折線を介して連続している。第一接続板２１の前側の端部には、前側の蓋部を構成する蓋板２２が折線を介して連続している。蓋板２２の前側の端部には、差込片２４が折線を介して連続している。この折線は、蓋板２２側に膨らむように湾曲している。また、差込片２４には、この折線の略中央部から略直交する折線が形成されている。第一接続壁板２１の後側の端部には、後側の蓋部を構成する蓋板２３が折線を介して連続している。蓋板２３の後側の端部には、差込片２５が折線を介して連続している。この折線は、蓋板２３側に膨らむように湾曲している。また、差込片２５には、この折線の略中央部から略直交する折線が形成されている。
【００２９】  第一接続壁板２１の壁板３１に対向する側の端部付近には、仕切板８１が折線８２を介して設けている。折線８２は仕切板８１の基部であり、仕切板８１側に膨らむ湾曲形状に設けている。本実施形態では、折線は切線を断続的に設けて形成しているが、押罫線でもよく、折り曲げを誘導する加工線が施されている状態を折線とする。仕切板８１は、組み立て完成状態において、小収容空間Ｓを形成する部分である。仕切板８１は、第一接続壁板２１の壁板３１に対向する側の端縁から壁板３１側へ斜めに切り込む切線８３・８４を設け、仕切板８１の自由端部８５側を第一接続壁板２１の壁板３１に対向する側の端縁より突出させて、略台形状に形成している。仕切板８１の自由端部８５の前後幅は、第一接続壁板２１の前後幅にほぼ等しい。
【００３０】  壁板３１の端部のうち、第一接続壁板２１と対向する端部には、包装用容器１１の天部を構成する壁板４１が折線を介して連続している。壁板３１の前側の端部には、蓋板３２が折線を介して連続しており、壁板３１の後側の端部には、蓋板３３が折線を介して連続している。
【００３１】  壁板４１の端部のうち、壁板３１と対向する端部には、包装用容器１１の側部を構成する壁板５１が、折線を介して連続している。壁板４１の前側の端部には、前側の蓋部を構成する蓋板４２が折線を介して連続している。この折線上には、差込片２４が差し込まれて包装用容器１１の開口部Ｋの閉塞状態を保持する差込部４４が形成されている。差込部４４は、この折線に略沿うスリットと、このスリットに連通する、壁板４１側に切り欠かれた半円形状の孔部と、蓋板４２側に切り欠かれたスリットに沿う孔部とによって形成されている。天面４１の後側の端部には、後側の蓋部を構成する蓋板４３が折線を介して連続している。この折線上には、差込片２５が差し込まれて、包装用容器１１の開口部Ｋの閉塞状態を保持する差込部４５が形成されている。差込部４５は、この折線に略沿うスリットと、このスリットに連通する、壁板４１側に切り欠かれた半円形状の孔部と、蓋板４３側に切り欠かれたスリットに沿う孔部とによって形成されている。
【００３２】  壁板５１の端部のうち、壁板４１と対向する端部には、包装用容器１１の底部を構成する第二接続壁板６１が、折線を介して連続している。壁板５１の前側の端部には、蓋板５２が折線を介して連続しており、壁板５１の後側の端部には、蓋板５３が折線を介して連続している。
【００３３】  第二接続板６１は、左右幅が第一接続板２１の約１／４〜１／５程度の幅であり、第一接続板２１の外側に接着剤で固着される。
【００３４】  次に、包装用容器１１を半完成状態まで組み立てる場合について説明する。まず、図３（ａ）に示すように、第一接続壁板２１と壁板３１との間の折線を谷折りして、第一接続壁板２１を壁板３１に対して折り返し、第一接続壁板２１と壁板３１及び壁板４１の一部とが重なるようにする。このとき、仕切板８１は壁板４１に重なる。また、蓋板２２と蓋板３２及び蓋板４２の一部とが重なる。また、蓋板２３と蓋板３３及び蓋板４３の一部とが重なる。
次に、図３（ｂ）に示すように、壁板４１と壁板５１との間の折線を谷折して、壁板５１を壁板４１に対して折り返し、壁板５１と壁板４１及び仕切板８１の自由端部８５側の部分とが重なるようにする。このとき、壁板５１に連続する第二接続壁板６１は、仕切板８１の折線８２側の部分及び第一接続壁板２１の端縁側の外側に重なる。第一接続壁板２１の第二接続壁板６１と重なる部分は重合領域７１を形成する。図２における斜線領域は重合領域７１を示している。
また、この状態において、蓋板５２と蓋板４２とが重なる。また、蓋板５３と蓋板４３とが重なる。そして、第二接続壁板６１と、第一接続壁板２１の前後の開口部Ｋ側の切り残された部分及び、仕切板８１と折線８２付近を除く第二接続板６１と重なる部分とを接着剤で固定すれば、包装用容器１１は角筒形状が折線で平坦に折り畳まれた半完成状態となる。図４における斜線部分は、接着部分を示している。固定は、接着剤を用いた貼着手段や、熱溶着等の固定手段を用いることができる。
【００３５】  本実施の形態に係る包装用容器１１の半完成状態までの組み立てでは、折目は全て谷折であり、固定する部分は、第一接続壁板２１と第二接続壁板６１との間のみであるから、貼り作業を貼り機によって容易に自動化することができ、製造コストを安価とすることができる。また、半完成状態では、包装用容器１１は平坦に折り畳まれて厚さが薄く、コンパクトであるため、運搬や保管が容易となる。
【００３６】  次に、折り畳まれた半完成状態の包装用容器１１を完成状態まで組み立てる場合について説明する。図５（ａ）（ｂ）は、包装用容器１１を組み立てる途中の状態を示す図２Ａ−Ａ線端面図である。まず、まだ谷折されておらず平坦状態である包装用容器１１を、図５（ａ）（ｂ）に示すように、壁板３１と壁板４１との間の折線と、壁板５１と第二接続壁板６１との間の折線を谷折して、底部を形成する第一接続壁板２１及び第二接続壁板６１に対して、壁板３１と壁板５１とを起立させ、側部を形成する壁板３１、天部を形成する壁板４１、側部を形成する壁板５１によって角筒形状とする。このとき、壁板５１に重なった仕切板８１の自由端部８５は、壁板５１に押され、壁板５１の内面を滑動して基部である折線８２から起立し包装用容器１１の容器内部に延在する。これにより、仕切板８１と、第二接続壁板６１と、壁板５１とで囲まれる小収容空間Ｓを形成する。
【００３７】  このとき、図４に示すように、仕切板８１は第一接続壁板２１の包装用容器１１の開口部Ｋ側の端部を切り残して形成しており、この切り残された部分及び仕切板８１と折線８２付近を除く第二接続壁板６１と重なる部分と、第二接続壁板６１とを接着しており、接着面積を広くとって、仕切板８１を起立する際に接着が剥がれてしまうのを防止している。
また、仕切板８１の基部である折線８２は、仕切板８１側に膨らむ湾曲形状であるため、仕切板８１は壁板５１側へ傾斜し、自由端部８５は壁板５１に接した状態で保持されている。
【００３８】  そして、包装用容器１１の前側又は後側の開口部Ｋを蓋板で閉塞して、角筒形状を保持する。本実施形態では、まず、前側の開口部Ｋを閉塞する。具体的には、蓋板３２・５２を折線で谷折りして内側に曲げ、蓋板４２を折線で谷折りして蓋板３２・５２に重なるように内側に曲げ、蓋板２２を折線で谷折りして蓋板４２に重なるよう内側に曲げれば、開口部Ｋが閉塞される。そして、差込片２５を折線で折り曲げて、差込部４４に差し込めば、開口部Ｋが閉塞された状態が保持される。図２はこの状態を示している。
このように、角筒形状を形成し、保持された状態で、内部にデコレーションケーキを収容する。また、小収容空間Ｓに、保冷剤や、ろうそく等の備品を収容する。
【００３９】  そして、後側の開口部Ｋを蓋板により閉塞する。具体的には、蓋板３３・５３を折線で谷折りして内側に曲げ、蓋板４３を折線で谷折りして蓋板３３・５３に重なるように内側に曲げ、蓋板２３を折線で谷折りして蓋板４３に重なるよう内側に曲げれば、開口部Ｋが閉塞される。そして、差込片２５を折線で折り曲げて、差込部４５に差し込めば、開口部Ｋが閉塞された状態が保持される。このとき、小収容空間Ｓを構成する仕切板８１の前側の端部は、包装用容器１１の前側の開口部Ｋと近接している。また、仕切板８１の後側の端部は、包装用容器１１の後側の開口部Ｋと近接している。このため、小収容空間Ｓの前側の開口部ＳＫは蓋板５２によって閉塞され、小収容空間Ｓの後側の開口部ＳＫは蓋板５３によって閉塞されて、運搬中に保冷剤やろうそくが小収容空間Ｓから飛び出すことがない。
【００４０】  上記のようにして組み立てられた包装用容器１１を開封する場合は、前側又は後側いずれかの開口部Ｋを開放して、収容したデコレーションケーキ及び小収容空間Ｓに収容した保冷剤、ろうそく等の備品を取り出せばよい。
【００４１】  このように、本実施形態の包装用容器１１は、折線を介して連続する複数の壁板３１・４１・５１の端部に折線を介して連続する第一接続壁板２１と、対向する他の端部に折線を介して連続する第二接続壁板６１とを設け、折線を折り曲げて角筒形状として、第一接続壁板２１の外側に第二接続壁板６１を重ねて固定し、両端の開口部Ｋには蓋板２２・２３・３２・３３・４２・４３・５２・５３を設けてなる包装用容器１１において、第一接続壁板２１の第二接続壁板６１と重なる重合領域７１に基部である折線８２を有し、この基部から起立して容器内部に延在する仕切板８１を設けて、仕切板８１と、第二接続壁板６１と、第二接続壁板６１と折線を介して連続する壁板５１と、で囲まれる小収容空間Ｓを形成する。
【００４２】  このため、仕切板８１を基部である折線８２から起立させるだけで、別部材を設けることなく、簡単に包装用容器１１内部に小収容空間Ｓを形成することができる。
【００４３】  また、本実施形態の仕切板８１は、重合領域７１の開口部Ｋ側の端部を切り残して形成する。
【００４４】  このため、図４に示すように、重合領域７１を広くとることができ、第一接続壁板２１と第二接続壁板６１との固着領域を広くとることができる。そして、接着面積を広くとって、仕切板８１を起立する際に接着が剥がれてしまうのを防止することができる。
【００４５】  また、本実施形態の仕切板８１の開口部Ｋ側の端部と開口部Ｋとが近接している。
【００４６】  このため、包装用容器１１の開口部Ｋを蓋板２２・２３・３２・３３・４２・４３・５２・５３で閉塞すれば、小収容空間の開口部ＳＫも閉塞され、例えば運搬による振動によって小収容空間Ｓに収容した備品等が開口部ＳＫ付近から飛び出すことを防止することができる。
【００４７】  また、本実施形態の仕切板８１は、第二接続壁板６１と折線を介して連続する壁板５１側に傾斜する。
【００４８】  このため、仕切板８１が小収容空間Ｓを形成する側とは逆側に倒れ込みにくく、小収容空間を強固に保持することができる。
【００４９】  また、本実施形態の仕切板８１の基部には、折線８２を有する。
【００５０】  このため、仕切板８１を起立させやすい。
【００５１】  また、本実施形態の折線８２は、仕切板８１側に膨らむ形状である。
【００５２】  このため、仕切板８１が小収容空間Ｓを形成する側とは逆側に倒れ込みにくく、小収容空間Ｓを強固に保持することができる。また、仕切板８１の開口部ＳＫ側が小収容空間Ｓを形成する側とは逆側に反るため、開口部ＳＫから備品等を挿入しやすくなる。
【００５３】  また、本実施形態の包装用容器１１は、折線を折り曲げて角筒形状を平坦に折り畳んだ状態において、仕切板８１は、第二接続壁板６１と折線を介して連続する壁板５１と重なり、角筒形状に形成する際に、仕切板８１の自由端部８５が第二接続壁板６１と折線を介して連続する壁板５１の内面を滑動して基部である折線８２から起立し容器内部に延在する。
【００５４】  このため、仕切板８１を別作業で起立させる手間がなく、簡単に小収容空間Ｓを形成することができる。
【００５５】  尚、実施の形態は上記に限定されるものではなく、例えば次のように変更してもよい。
【００５６】  例えば、本実施形態の仕切板８１は、基部である折線８２を仕切板８１側に膨らむ湾曲形状としているが、図６（ａ）に示すように、仕切板１８１の基部である折線１８２を直線形状としてもよい。また、図６（ｂ）に示すように、仕切板２８１の基部である折線２８２を仕切板２８１側とは反対側に膨らむ湾曲形状としてもよい。さらには、図６（ｃ）に示すように、仕切板３８１の基部である折線３８２を、仕切板３８１側に膨らむ台形状としても、小収容空間Ｓを形成する側とは逆側に倒れ込みにくく、小収容空間を強固に保持することができる。
【００５７】  また、例えば、本実施形態の仕切板８１は、重合領域７１の開口部Ｋ側の端部を切り残して形成しているが、図７（ａ）に示す仕切板４８１のように、重合領域７１の開口部Ｋ側の端部を切り残さずに、重合領域７１の前側の開口部Ｋ側の端縁から後側の開口部Ｋ側に至るまでを基部として折線４８２を設けることもできるし、図７（ｂ）に示す仕切板５８１のように、重合領域７１の前側又は後側の開口部Ｋ側の端部のみを切り残すこともできる。
【符号の説明】
【００５８】  １１    包装用容器
１２    展開形成体
２１    第一接続壁板
２２    蓋板
２３    蓋板
２４    差込片
２５    差込片
３１    壁板
３２    蓋板
３３    蓋板
４１    壁板
４２    蓋板
４３    蓋板
４４    差込部
４５    差込部
５１    壁板
５２    蓋板
５３    蓋板
６１    第二接続壁板
７１    重合領域
８１    仕切板
８２    折線（基部）
８３    切線
８４    切線
８５    自由端部
１８１  仕切板
１８２  折線（基部）
２８１  仕切板
２８２  折線（基部）
３８１  仕切板
３８２  折線（基部）
４８１  仕切板
４８２  折線（基部）
５８１  仕切板
５８２  折線（基部）
Ｋ      開口部
Ｓ      小収容空間
ＳＫ    開口部
【図１】
0003229464.tif 000003
【図２】
0003229464.tif 000004
【図３】
0003229464.tif 000005
【図４】
0003229464.tif 000006
【図５】
0003229464.tif 000007
【図６】
0003229464.tif 000008
【図７】
0003229464.tif 000009